(57)【要約】【課題】  水の凍結による導水管の閉塞を防止することができる導水管を提供する。【解決手段】  管側面に多数の通水孔１１を有し地中に埋設されて使用される導水管１０は、管内に長さ方向に沿ってヒータ線１４が設けられている。【選択図】図１
2006322189.tif 000002
【特許請求の範囲】
【請求項１】
管側面に多数の通水孔を有し地中に埋設されて使用される導水管であって、
管内に長さ方向に沿ってヒータ線が設けられていることを特徴とする導水管。
【請求項２】
管側面に多数の通水孔を有する導水管が地中に埋設された導水管設置構造であって、
上記導水管の管内に長さ方向に沿ってヒータ線が設けられていることを特徴とする導水管設置構造。
【請求項３】
請求項２に記載された導水管設置構造において、
上記導水管が透水性舗装材に埋設されていることを特徴とする導水管設置構造。
【発明の詳細な説明】
【技術分野】
【０００１】
本発明は、管側面に多数の通水孔を有し地中に埋設されて使用される導水管及びその設置構造に関する。
【背景技術】
【０００２】
近年の舗装道路、特に自動車道では、路面の水捌けを良好にするために、道路に沿って、或いは、道路を横切るように溝を設けると共に、そこに管側面に多数の通水孔を有する導水管を這わせて通水性の高い土砂で埋設することが行われている。このようにすれば、路面の水を土砂を通して溝内の導水管に集めて効率よく排水することができる。
【０００３】
特許文献１には、舗装面にオープンカットされた排水溝と、該排水溝に沿ってこれの内部に配設された多孔管と、該多孔管の少なくとも上半部分を覆って排水溝に充填敷設された、骨材とエポキシ樹脂とを混合してなる透水性樹脂モルタルとからなり、排水溝の底部には、上面に断面円弧状の凹部を有する遮水性受台を設置し、多孔管は、この遮水性受台の凹部に沿ってその下部を密着させるようにして配設された排水用溝形暗渠が開示されている。そして、これによれば、通過する走行車両に衝撃や違和感を生じさせることなく、また溝の中に土砂等を堆積させることなく、雨水や融雪水を舗装面に沿って容易に流下させることができる、と記載されている。
【０００４】
また、同文献には、透水性樹脂モルタルに発熱用のヒータ線を配設することが開示されている。そして、これによれば、除雪した雪の融解を促進させることができる、と記載されている。
【特許文献１】特開２００１−３３６２０６号公報
【発明の開示】
【発明が解決しようとする課題】
【０００５】
ところで、冬期に水が凍結して導水管が閉塞されてしまうと、排水経路が中断されるという問題がある。この問題は、特に、寒冷地において深刻なものである。
【０００６】
本発明は、かかる点に鑑みてなされたものであり、その目的とするところは、水の凍結による導水管の閉塞を防止することができる導水管及びその設置構造を提供することである。
【課題を解決するための手段】
【０００７】
請求項１に係る発明は、管側面に多数の通水孔を有し地中に埋設されて使用される導水管であって、管内に長さ方向に沿ってヒータ線が設けられていることを特徴とする。
【０００８】
請求項２に係る発明は、管側面に多数の通水孔を有する導水管が地中に埋設された導水管設置構造であって、上記導水管の管内に長さ方向に沿ってヒータ線が設けられていることを特徴とする。
【０００９】
請求項３に係る発明は、請求項２に記載された導水管設置構造において、上記導水管が透水性舗装材に埋設されていることを特徴とする。
【発明の効果】
【００１０】
本発明によれば、導水管の管内にヒータ線が設けられているので、冬期には、ヒータ線に通電して管内温度を高めることにより水の凍結による導水管の閉塞を防止することができる。
【発明を実施するための最良の形態】
【００１１】
以下、本発明の実施形態を図面に基づいて詳細に説明する。
【００１２】
図１は、本発明の実施形態に係る導水管１０を示す。
【００１３】
この導水管１０は、耐蝕性及び耐熱性の優れる金属やポリプロピレン樹脂などのポリオレフィン樹脂等で形成された外径が５０ｍｍ程度の可撓管である。また、この導水管１０は、管側面に多数の通水孔１１を有する。導水管１０として、具体的には、例えば、図１に示すように、ネット状の管本体１２の外周にスパイラル状のリブ部材１３が等ピッチで一体に設けられたもの、管側面に多数の通水孔１１が穿孔された可撓管、線状材を編成して可撓管を構成したもの、スプリングを透水性の被覆材で被覆した複数部材で構成されたもの等を挙げることができる。
【００１４】
導水管１０の管内には、その長さ方向に沿ってヒータ線１４が設けられている。ヒータ線１４は、単に、導水管１０に挿通されているだけであっても、また、導水管１０の管壁に固設されていても、いずれであってもよい。ヒータ線１４は、防水加工が施されていると共に図示しない通電制御部に電気的に接続されており、その通電制御部によって通電制御されるようになっている。
【００１５】
図２は、ヒータ線１４の一例を示す。
【００１６】
このヒータ線１４は、幅１０〜１５ｍｍ及び厚さ５±１ｍｍの断面偏平な帯状に形成されており、両側縁のそれぞれに沿って導体１４ａが埋設された発熱体１４ｂが樹脂絶縁被覆１４ｃ、すずめっき軟鋼編組被覆１４ｄ及び樹脂外皮被覆１４ｅの順に層を形成するように被覆された構造を有する。なお、樹脂外皮被覆１４ｅは必ずしも設けられていなくてもよい。樹脂絶縁被覆１４ｃ、樹脂外皮被覆１４ｅとして使用される樹脂材料としては、公知の被覆材料を適用することができ、具体的には、難燃性ポリオレフィン系樹脂、ふっ素樹脂などを挙げることができる。これらのうち耐熱性が優れている点でふっ素樹脂が好適である。
【００１７】
次に、上記導水管１０の設置構造２０について説明する。
【００１８】
図３は、その導水管設置構造２０を示す。
【００１９】
この導水管設置構造２０は、舗装面２１に開口するように形成されたコの字溝２２に導水管１０が収容設置され、それらの間隙に透水性舗装材２３が充填されて導水管１０が埋設されたものである。このような導水管設置構造２０は、高速道路等の舗装道路の道路に沿って、或いは、道路を横切って設けられる他、建物の周囲等にも構成される。
【００２０】
導水管１０は、管内のヒータ線１４が、導水管１０に挿通されているだけであれば、図２に示すように、管内の最下部を這うように配置されるが、導水管１０の管壁に固設されて最上部等に配置されるように軸回転方向に位置決めさせてもよい。但し、既設の導水管１０にヒータ線１４を設ける場合を考慮すれば、その作業性の観点からヒータ線１４が導水管１０の管内の最下部を這った構成が最も簡易である。
【００２１】
透水性舗装材２３は、例えば、骨材とエポキシ樹脂とを混合し、エポキシ樹脂を硬化させることにより得られる多孔性舗装材（樹脂系透水性舗装材）である。
【００２２】
次に、この導水管設置構造２０の排水動作について説明する。
【００２３】
以上のような導水管設置構造２０では、舗装面２１に降り注いだ雨水や雪解け水は、コの字溝２２が形成された部分に集まり、そこで、透水性舗装材２３を通過して通水孔１１を介して導水管１０に流入し、その導水管１０内を流れて排水される。
【００２４】
そして、冬期には、ヒータ線１４に通電し、管内温度を高めることにより水の凍結による導水管１０の閉塞を防止すると共に、導水管１０の外部に熱を伝えることにより、詳しくは、導水管１０自体及び／又は導水管１０に設けられた通水孔１１を介して熱を外部に伝えることにより、透水性舗装材２３内での水の凍結を防止して上記の排水経路の遮断を回避し、さらに、舗装面２１上の雪や氷を溶解させて積雪及び凍結を防止する。この透水性舗装材２３内での水の凍結防止の高い効果を得るためには、導水管１０が熱伝導率の高い材料で形成されており、ヒータ線１４が導水管１０の最上部に配置されるいることが好ましい。
【００２５】
なお、導水管１０内に通電制御部に電気的に接続された温度センサを設け、通電制御部により温度センサで検知した管内温度情報に基づいてヒータ線１４への通電制御を行うようにしてもよい。
【００２６】
以上のように、上記導水管１０及びその設置構造２０によれば、管内にヒータ線１４が設けられているので、冬期には、ヒータ線１４に通電して管内温度を高めることにより水の凍結による導水管１０の閉塞を防止することができる。そして、それによって、排水経路が遮断されるのを回避することができる。
【００２７】
また、導水管１０が透水性舗装材２３に埋設されているので、舗装面２１上に堆積した雪や氷が溶かされてできた水が流れる水路を確実に確保することができる。
【００２８】
なお、本実施形態では、予めヒータ線１４が挿通された導水管１０を用いて導水管設置構造２０を構成したが、特にこれに限定されるものではなく、既設の導水管１０にヒータ線１４を挿通して本発明の導水管設置構造を構成してもよい。
【００２９】
また、本実施形態では、導水管１０をコの字溝２２内に直接設置したが、特のこれに限定されるものではなく、コの字溝２２内に設けた遮水性受台で支持する構造にしてもよい。
【００３０】
また、より好ましい実施形態として、図４に示すように、コの字溝２２の開口部がテーパ状に形成されているのがよく、このような構成であると、舗装面２１に降り注いだ雨水や雪解け水を効率よく集めることができる。
【００３１】
また、導水管１０と透水性舗装材２３とでブロックユニットを構成し、それをコの字溝２２に嵌め入れる構成としてもよい。
【産業上の利用可能性】
【００３２】
本発明は、管側面に多数の通水孔を有し地中に埋設されて使用される導水管及びその設置構造について有用である。
【図面の簡単な説明】
【００３３】
【図１】導水管の斜視図である。
【図２】導水管設置構造の断面図である。
【図３】ヒータ線の断面図及び側面図である。
【図４】導水管設置構造の変形例の断面図である。
【符号の説明】
【００３４】
１０  導水管
１１  通水孔
１２  管本体
１３  リブ部材
１４  ヒータ線
１４ａ  導体
１４ｂ  発熱体
１４ｃ  フッ素樹脂絶縁被覆
１４ｄ  すずめっき軟鋼編組被覆
１４ｅ  フッ素樹脂外皮被覆
２０  導水管設置構造
２１  舗装面
２２  コの字溝
２３  透水性舗装材
【図１】
2006322189.tif 000003
【図２】
2006322189.tif 000004
【図３】
2006322189.tif 000005
【図４】
2006322189.tif 000006